(57)【特許請求の範囲】
【請求項１】
着用者の下肢の上に受け入れられ、前記下肢に対して前記下肢の長さに従って変化する圧迫を提供するように構成可能な段階的圧迫靴下であって、
前記靴下は、ストッキング区分で成り、
前記ストッキング区分は、
前記靴下を着用した時に前記着用者のつま先側に位置する端部である遠位端と前記靴下の前記下肢の長さ方向における前記遠位端の反対側の端部である開放近位端との間に連続的に伸展するものであり、
前記遠位端から伸展する管状の足部分と前記開放近位端から伸展する管状の脚部分とを備えるものであり、前記着用者が前記靴下を着用した時に、前記足部分は、前記着用者の前記足を受け入れる寸法であり、他方、前記脚部分は、前記着用者の脚の１部分以上を受け入れる寸法であり、前記足部分および脚部分は、前記着用者の足および脚よりも小さいサイズに構成されるものであり、
伸縮糸が交互に編まれて成る伸縮糸の編物であり、前記伸縮糸は、プレテンションをかけられた弾性芯および撚り繊維鞘を含むコアスパン糸を含み、前記弾性芯は、前記撚り繊維鞘が前記弾性芯の周りに撚られる際にプレテンションをかけられるものであり、さらに、
前記遠位端に隣接し前記靴下を着用した時に着用者の足首に隣接する遠位位置から、前記開放近位端から前記遠位端側に所定の距離離れた近位位置まで伸展する段階的領域を呈するものであり、
前記段階的領域は、
前記着用者に提供する前記段階的領域の幅方向の圧迫が前記伸縮糸よりも大きい弾性糸が、前記幅方向において、前記伸縮糸の間に一体化されるものであり、
前記靴下の特性は、前記一体化される弾性糸が前記弾性糸の糸特性として前記遠位位置から前記近位位置の方向に向けて漸進的に減少する圧迫を提供することにより、前記靴下の着用時に前記着用者に対して前記遠位位置から前記近位位置に漸進的に減少する圧迫を提供することを特徴とする段階的圧迫靴下。
【請求項２】
前記靴下の特性は、前記伸縮糸の編物の編目サイズが、前記遠位位置から前記近位位置へ漸進的に増加することによるものである、請求項１に記載の段階的圧迫靴下。
【請求項３】
前記靴下の特性は、前記弾性芯を前記撚り繊維鞘で覆いながら前記弾性芯に加えられたドラフト率に少なくとも部分的に基づく、請求項１または２に記載の段階的圧迫靴下。
【請求項４】
前記弾性糸の糸特性は、自身にかけられるプレテンションが、前記遠位位置から前記近位位置に徐々に減少するものである、請求項１〜３のいずれかに記載の段階的圧迫靴下。
【請求項５】
前記靴下の特性は、前記遠位位置から前記近位位置へ漸進的に増加する前記伸縮糸の編物の編目サイズを含む別の特性を含む、請求項１〜４のいずれかに記載の段階的圧迫靴下。
【請求項６】
前記弾性糸の糸特性は、少なくとも部分的に糸デニールに基づく、請求項１〜３のいずれかに記載の段階的圧迫靴下。
【請求項７】
前記靴下の特性は、前記ストッキング区分の測定ストッキング圧迫値を含み、前記測定ストッキング圧迫値は、前記ストッキング区分の指定周囲に関して決定される、請求項１〜６のいずれかに記載の段階的圧迫靴下。
【請求項８】
前記測定ストッキング圧迫値は、１０ｍｍＨｇ〜４０ｍｍＨｇの範囲である、請求項７に記載の段階的圧迫靴下。
【請求項９】
前記段階的領域は、前記足部分の上および近位方向に伸展する、請求項１〜８のいずれかに記載の段階的圧迫靴下。
【請求項１０】
前記脚部分は、前記着用者の腿の最も太い部分に隣接して位置するように構成される最大周囲を呈し、
前記段階的領域の前記近位位置は、前記最大周囲の上および近位方向に伸展する、請求項９に記載の段階的圧迫靴下。
【請求項１１】
前記弾性芯はスパンデックス繊維を含む、請求項１〜１０のいずれかに記載の段階的圧迫靴下。
【請求項１２】
前記撚り繊維鞘は、前記弾性芯の回りに巻き付けられた非弾性繊維を含む、請求項１１に記載の段階的圧迫靴下。
【請求項１３】
前記非弾性繊維は、合成ポリエステル糸を含む、請求項１２に記載の段階的圧迫靴下。
【請求項１４】
前記伸縮糸は、同数のＳ撚りおよびＺ撚りの撚り糸を含む複数の撚り糸を含む、請求項１〜１３のいずれかに記載の段階的圧迫靴下。
【請求項１５】
前記ストッキング区分は足首部分を含み、該足首部分の最大幅方向伸縮伸長率は３００％〜３６０％の範囲である、請求項１〜１４のいずれかに記載の段階的圧迫靴下。
【請求項１６】
前記ストッキング区分は前記脚部分のふくらはぎ区分を含み、該ふくらはぎ区分の最大幅方向伸縮伸長率は２２０％〜３３０％の範囲である、請求項１〜１５のいずれかに記載の段階的圧迫靴下。
【請求項１７】
前記脚部分の最大長さ方向伸縮伸長率は１２０％〜２００％の範囲である、請求項１〜１６のいずれかに記載の段階的圧迫靴下。
【請求項１８】
前記足部分の最大長さ方向伸縮伸長率は、２００％〜３５０％の範囲である、請求項１〜１７のいずれかに記載の段階的圧迫靴下。
【請求項１９】
前記コアスパン糸は、Ｓ撚りおよびＺ撚りのコアスパン糸であり、
前記ストッキング区分は、前記Ｓ撚りのコアスパン糸および前記Ｚ撚りのコアスパン糸が交互に編まれたものである、請求項１〜１８のいずれかに記載の段階的圧迫靴下。
【請求項２０】
前記遠位端は、前記靴下を着用した時に着用者のつま先が露出する開放されたつま先側の先端を含む、請求項１〜１９のいずれかに記載の段階的圧迫靴下。
【請求項２１】
請求項１〜２０のいずれかに記載の段階的圧迫靴下、前記段階的圧迫靴下の前記ストッキング区分に編み付けられ、前記ストッキング区分と同一の別のストッキング区分、および、前記別のストッキング区分に付着された下胴体区分で成るパンティストッキング。
【発明の詳細な説明】
【技術分野】
【０００１】
（関連出願）
本出願は２００９年７月８日提出の、米国仮特許出願第６１／０７９，０３９号「コアスパン糸を用いて編まれた段階的圧迫靴下（ＧＲＡＤＩＥＮＴ  ＣＯＭＰＲＥＳＳＩＯＮ  ＨＯＳＩＥＲＹ  ＫＮＩＴＴＥＤ  ＵＳＩＮＧＣＯＲＥＳＰＵＮ  ＹＡＲＮＳ）」の利益を主張するものであり、当該仮出願全体を引用として本明細書に含める。
【０００２】
（技術分野）
【０００３】
本発明は一般に編まれた衣類に関する。更に詳細には、本発明の実施態様は治療的および審美的利益を提供する一方、快適で着用が容易な、編まれた段階的圧迫靴下に関する。
【０００４】
（先行技術）
【０００５】
段階的圧迫靴下は、着用者の脚に沿って足首から近位方向に徐々に減少する可変圧迫圧力を提供するために用いられる。そのような靴下は脚における血液停滞や、ある種の静脈およびリンパの疾患、疲労、および悪環境条件に関連するその他の症状を軽減することで知られている。
【０００６】
先行技術の段階的圧迫靴下は、上述の症状の治療的軽減をもたらす一方、特定の未解決の欠陥を有している。従来の強くフィットする段階的圧迫靴下は、着用者が脚の上に靴下を伸ばして引っ張る際に強い力を必要とし、そのため靴下が着用者にとって装着が難しいものになっているということが知られている。さらに先行技術の段階的圧迫靴下は、着用の際に着用者の脚に効果的に適合できないことも知られている。
【発明の概要】
【０００７】
本発明の実施態様は、上述したような先行技術の靴下が持つ問題や制限のない段階的圧迫靴下を提供する。
【０００８】
本発明の１つの態様は、着用者の下肢の上に受け入れられ、下肢に対して下肢の長さに従って変化する圧迫を提供するようになされた段階的圧迫靴下に関する。段階的圧迫靴下は広義にはその遠位端と開放近位端との間に連続的に伸展するストッキング区分を含む。ストッキング区分は遠位端から伸展する管状の足部分と開放近位端から伸展する管状の脚部分とを備え、靴下を着用した時に足部分は着用者の足を受け入れる寸法であり、脚部分は着用者の脚の１部分以上を受け入れる寸法である。ストッキング区分は少なくとも実質的に伸縮糸の編物であり、伸縮糸の編物に一体化した弾性糸を含み、足部分および脚部分は着用者の足および脚よりも小さいサイズに構成される。ストッキング区分は遠位端に隣接する遠位位置から近位端に隣接する近位位置まで伸展する段階的領域を呈し、靴下の特性は段階的領域に沿って漸進的に変化して、靴下着用時に遠位位置から近位位置に漸進的に減少する圧迫を提供する。伸縮糸は弾性芯と撚り繊維鞘とを含むコアスパン糸を含む。
【０００９】
本発明のその他の態様および利点は、以下の好適実施態様の詳細な説明および添付図面から明らかになるであろう。
【図面の簡単な説明】
【００１０】
以下に本発明の好適実施態様を、次の添付図面を参照して詳細に記載する。
【００１１】
【図１】図１は、本発明の第１の好適実施態様に従って構成された、編まれた段階的圧迫膝丈ソックスの左側面図であり、着用者の下肢の足首から近位方向に圧迫が減少していることを示す。
【図２】図２は、本発明の第２の好適実施態様に従って構成された、編まれた段階的圧迫パンティストッキングの右側面図であり、足首から腿の上部へ近位方向に、圧迫が減少していることを示す。
【図３】図３は、細長い状態で示したコアスパン伸縮糸を大きく拡大した図であり、弾性芯と芯の回りに巻き付けられた撚り繊維鞘の部分的断面を含む。
【図４】図４は、弾性芯の回りに撚り繊維鞘を紡ぐための機械の概略図である。
【００１２】
なお、これらの図面は本発明を本書に記載し説明した特定の実施態様に限定するものではない。これらの図面は必ずしも縮尺を示すものではなく、むしろ好適実施態様の原理を明らかに示すことに重きを置いている。
（好適実施態様の詳細な説明）
【００１３】
まず図１を参照すると、トラウザーソックス形状の編まれた段階的圧迫靴下１０は、近位開放端１２および遠位閉鎖つま先端１４を備え、そして着用者の膝Ｋの下の下肢Ｌの上に受け入れられ、着用および装着が快適でありながら、様々な症状に関して治療的サポートを提供する。図２に示す代替実施態様において示されるように、ソックス１０は、靴下の近位端を膝から上方向に各種の位置に配置できるように、様々な異なる長さで構成することもまた可能であり、またパンティストッキングとして構成することも可能である。
【００１４】
図１および図３を参照すると、ソックス１０はつま先端１４に隣接するつま区分１６、足区分１８、踵区分２０、および下肢区分２２を含む。これらについては後で詳しく記載する。ソックス１０は、複数のコース２４（これらのいくつかを概略的に図示してある）に編み込まれる横編みの受容部（レセプタクル）を含み、コース２４はコアスパン糸２６を含むことが好ましい。また図に示すソックス１０はコース２４の中に織込まれている織込み弾性糸（図示せず）を含むことが好ましい。弾性糸は、後で更に記載するように、二重被覆されたＬｙｃｒａＲ  スパンデックスを含み、プレテンションを加えてコース２４の中に一体化されていることが好ましい。しかし、一重被覆されたスパンデックスなどの他の弾性糸がソックス１０に用いられている場合も本発明の範囲内である。更に弾性糸はコース２４の中に代替の形で一体化されていてもよく、例えばコース２４中にコアスパン糸２６と同時に編み込まれていてもよい。後で記載するように、弾性糸は近位方向に徐々に減少するプレテンションを用いて一体化される。
【００１５】
図３を参照すると、コアスパン糸２６は細長い状態で示され、パンデックス芯２８および非弾性鞘３０を含む。図示された鞘３０はＺ撚りの撚り糸３２を含むが、後で詳しく記載するように、好ましいソックス１０はＳ撚りおよびＺ撚りの糸鞘の交互の糸を有する複数のコアスパン糸を含む。芯２８は、その弾性特性を理由としてスパンデックス材料を含むことが好ましい。芯２８は、ＬｙｃｒａＲスパンデックス材料を含むことが更に好ましい。本発明のいくつかの態様に関しては、本発明の範囲から逸脱することなく、芯２８は別の弾性繊維を含む。
【００１６】
鞘３０の撚り糸３２はＺ撚りを用いて芯２８の回りに巻き付けられている。しかしソックス１０はＺ撚りおよびＳ撚りのコアスパン糸２６の同数の端部を用いて編まれている。このように、Ｚ撚り糸とＳ撚り糸の相対するねじれバイアスが打ち消しあって、ソックス１０のよじれを制限している。糸３２は非弾性モイスチャーウィッキング（吸湿性）ポリエステルまたはポリエステル配合物を含むことが好ましい。糸３２はＣｏｏｌＭａｘ(R)ポリエステル材料を含むことが最も好ましい。しかし糸３２が他の撚り繊維鞘、例えばウール配合糸、スパンナイロン糸、または他のポリエステル糸（後で記載するＸ−ＳＴＡＴＩＣ(R)  ポリエステル配合糸等）を含む場合も本発明の範囲内である。例えば参照としてその全体を本書に組込まれる２０００年１２月１２日発行の米国特許第６，１５８，２５３号「シームレス、フォームフィッティングフットソックス（ＳＥＡＭＬＥＳＳ、ＦＯＲＭ  ＦＩＴＴＩＮＧ  ＦＯＯＴ  ＳＯＣＫ）」に横編みの製品に編み込まれた別のコアスパン糸の特徴が開示されている。
【００１７】
図４を参照すると、コアスパン糸２６は芯紡績機３６を用いて製造される。紡績機は芯部分３８および鞘部分４０を備えることが好ましい。芯部分３８はスパンデックスロール４２および案内ロール４４を備え、これらによってスパンデックスドラフトゾーン４６が提供され、そこでスパンデックス芯２８を供給し、スパンデックス芯２８にドラフト（すなわちプレテンション）をかける。鞘部分４０は、移動形状の繊維鞘スプール４８および案内ローラー５０、５２を備え、これらによって鞘ドラフトゾーン５４が提供され、そこで鞘糸５６を供給し、鞘糸５６にドラフトをかける。スパンデックス芯２８および鞘糸５６は、双方とも案内ローラー５０を介して供給され、撚り糸機スピンドル（図示せず）に供給される。また他の紡績機を用いてコアスパン糸２６を生成することも本発明の範囲内である。後で記載するようにソックス１０は環状の靴下編機（図示せず）上で、コアスパン糸２６および織込み弾性糸を用いて編むことが好ましいが、本発明の範囲を逸脱することなく、他の機械（フラットベッド編機など）上で編むこともできる。
【００１８】
図１を再び参照すると、ソックス１０は踵部分の上の（そして着用者の足首Ａに隣接する）遠位位置６０から近位開放端１２に隣接する近位位置６２へ、下肢区分２２に沿って近位方向に伸展する段階的圧迫領域５８を呈する。段階的圧迫領域５８は遠位位置６０から近位位置６２へ漸進的に減少する圧迫を下肢Ｌに対して提供することが好ましい。
【００１９】
ソックス１０はソックスの指定周囲範囲において測定する測定ストッキング圧迫値を有し、その測定ストッキング圧迫値は、遠位位置６０から近位位置６２へ漸進的に減少することが好ましい。このような測定は、一般に、Ｉｎｓｔｒｏｎ社またはＢｏｌａｍ社製造の圧迫測定装置によって実施する。ストッキングの圧迫は約１０ｍｍＨｇ〜約４０ｍｍＨｇの範囲であることが好ましい。ストッキング圧迫は循環および血管の症状や、足の疲労、痛み、腫れ、疼痛を治療するために、軽度（１０〜１５ｍｍＨｇ）、弱程度（１５〜２０ｍｍＨｇ）、中程度（２０〜３０ｍｍＨｇ）、および強度の圧迫（３０〜４０ｍｍＨｇ）の各カテゴリに分類されることがより好ましい。一般的ではないが、本発明の原理はソックス１０が４０ｍｍＨｇより上の圧迫を示す場合にも適用可能である。軽度圧迫靴下は一般に、足の疲れ、痛み、または倦怠感（例えば、長時間の立位または座位による）に好適である。中程度圧迫靴下は一般に静脈瘤または静脈炎などの慢性症状を持つ患者に好適である。強度圧迫靴下は一般に、凝固、軽度から重度のリンパ水腫、ポスト静脈炎シンドローム、重大な静脈機能不全、静脈うっ滞、重度の静脈血栓症、または肺塞栓症などの症状に処方される。
【００２０】
圧迫は、段階的圧迫領域５８において、特性を組合わせることによって提供することが好ましく、またそれらの特性の中にはソックス１０の長さに沿って通常は変化しないものもある。例えば後で詳細に示すように、弾性織込み糸の糸デニールを選択することにより所望の圧迫範囲（上述したように、そして下の表２に示すように）の圧迫を提供するように調整することができる。また別のデニールのスパンデックス芯２８を選択することによって所望の圧迫を提供することも本発明の範囲内である。
【００２１】
更に領域５８に沿ってソックス１０の特性を漸進的に変化させることによって、領域５８における段階的圧迫を、ソックス１０の長さに沿って選択的に変化させることができる（例えば、遠位位置６０から近位位置６２に漸進的に減少する圧迫を提供することができる）。特に段階的圧迫はソックス１０に沿って変化しうる特性の組合せによって提供されることが好ましい。例えば伸縮糸編物（すなわち、編まれたコアスパン糸）の編目サイズを遠位位置６０から近位位置６２に漸進的に増加させることによって段階的圧迫が提供されることが好ましい。また段階的圧迫は一体化された弾性糸のプレテンションを調整することによって提供されることが好ましい。特に糸のプレテンションは糸が領域５８に一体化されるに従って、遠位位置６０から近位位置６２へ漸進的に減少する。領域５８に沿って漸進的に変化する可変特性のこの組合せは好ましいが、これらの特性の１つだけしか変化させないで段階的圧迫を提供すること（例えばソックス１０に沿って編目サイズが一定である場合など）も本発明の範囲内である。
【００２２】
コアスパン糸２６と織込み弾性糸との組合せは、従来のナイロンや非コアスパンの段階的圧迫靴下に比べると、上述した圧迫の範囲においてより大きな伸縮を提供するように構成可能であることが見出されている。Ｊｏｎｅｓ社の幅方向伸縮機（Ｊｏｎｅｓ  Ｃｒｏｓｓ  Ｓｔｒｅｔｃｈ  Ｍａｃｈｉｎｅ）および長さ方向伸縮機を用いて、従来のマイクロ繊維ナイロンソックスと、好ましい構成のコアスパン圧迫ソックス１０とに関する抵抗および最大伸縮測定値を収集した（表１参照）。
【００２３】
特に、好ましいコアスパンソックス１０の脚区分および足区分は、ＬｙｃｒａＲスパンデックス芯２８およびＣｏｏｌＭａｘＲポリエステル鞘３０を用いたコアスパン糸を含む。上述したように、鞘３０はＸ−ＳＴＡＴＩＣＲポリエステル配合糸のような他の撚り繊維を含むこともできる。ソックス１０はＺ撚りコアスパン糸の１コース２４と隣接するＳ撚りコアスパン糸のコース２４を用いてジャージーニットパターンに編まれ、各糸が他の糸のねじれバイアスを打ち消すように機能している。
【表１】
0005611200.tif 000002
ソックス１０の各圧迫カテゴリに関して、芯２８は約４０デニールを有し、鞘３０は約２６６デニールを有することが好ましい。しかしソックス１０の１または複数の圧迫カテゴリが異なるデニールの芯２８および／または鞘３０を用いて作成される場合も本発明の範囲内である。
【００２４】
またコアスパンソックス１０は、隣接するＺ撚りおよびＳ撚りのコアスパン糸の各コース２４の間に、２ｘ２パターン（すなわち、２本の針がスパンデックスを捕捉し、２本の針が下がったままの状態）の織込み二重被覆ＬｙｃｒａＲスパンデックス（ナイロン被覆）の１つの糸を含むことが好ましい。しかし本発明の範囲を逸脱することなく、二重被覆スパンデックスが他のブランドのスパンデックスおよび／または他の繊維被覆を含むこともできうる。表２に示すように、圧迫カテゴリに従った圧迫を提供するようにスパンデックスの好ましいデニールおよびスパンデックスの回りのナイロン被覆の好ましいデニールを決定するが、他のデニールのスパンデックスおよびナイロンを用いることも本発明の範囲内である。好ましいソックス１０のその他の構成の詳細を下の表２に示す。ソックス１０が、別のニットパターン（例えば１ｘ１パターン）のような別の構成を有する場合も本発明の範囲内である。また、同様の構成およびデニールのコアスパン糸および織込みスパンデックスを用いているが、ＣｏｏｌＭａｘＲコアスパン糸の代わりにポリエステルＸ−ＳＴＡＴＩＣＲ糸が用いられている別の圧迫ソックスも開発されている。
【００２５】
表１に提示された伸縮比較において用いられた従来のナイロンソックスは、編まれたマイクロ繊維糸を含む。１５〜２０ｍｍＨｇの圧迫ナイロンソックスは２１０デニールのナイロンを使用し、そして２０〜３０ｍｍＨｇおよび３０〜４０ｍｍＨｇは２８０デニールのナイロンを使用する。
【表２】
0005611200.tif 000003
【００２６】
表１のデータから足区分１８の足首部分が約３００％〜約３６０％の範囲の最大幅方向伸縮伸長率を有し、下肢区分２２のふくらはぎ区分が約２２０％〜約３３０％の範囲の最大幅方向伸縮伸長率を有するということを判断することができる。また脚区分２２は約１２０％〜約２００％の範囲の最大長さ方向伸縮伸長率を有し、そして足区分１８は、約２００％〜約３５０％の範囲の最大長さ方向伸縮伸長率を有する。表１のデータから判断したナイロンと比較したコアスパン糸の伸縮における平均増分を表３に示す。驚くべきことにこのようにコアスパン糸を用いるソックス１０は従来のナイロンの段階的圧迫ソックスに比較して実質的に同じ圧迫を維持しながら有意に大きい伸縮伸長を提供し、また着用者の調査からナイロンソックスに比較して着用が容易であることが見出されている。更に、予想されなかったことであるが、従来のナイロンソックスに比較して、コアスパン糸はよりゆったりとした快適性の高い編みソックスを提供し、また脚の可動部分の周囲（例えば、足首の正面）により良くフィットする。特に、織込みスパンデックス（または等価物）の糸は、一般に着用中の幅方向伸縮に対する圧迫と抵抗の主要な源であるとして理解されている（すなわち、編まれたコアスパン糸は、幅方向伸縮に対して比較的少量の圧迫および抵抗を提供するであろうということ）ので、基準糸を伸長性の高い糸（コアスパン糸など）に変更することによって衣類の伸縮を改善することは予想可能ではないであろう。しかしながら、コアスパン糸によって可能になる最大伸長および抵抗下の伸長は、従来の段階的圧迫靴下と比較して、たとえ織込みスパンデックスによって提供された治療的圧迫レベルが同じに留まったとしても、多くの着用者にとっての装着容易性を高めるであろうことを我々は見出した。
【００２７】
更に、広範な編物技術の中では、靴下製品は一般に細ゲージ環状ニット製品であると考えられ、一般により細いデニール糸で製造され、そして、一般に靴下編機または細ゲージのソックス編機によって製造される。反対に、比較的高いデニールのコアスパン糸を用いて製造された衣類は、一般に粗いゲージの装置（フラットベッドの編物機など）上で製造される。またコアスパン糸は一般に従来のソックス糸よりも原価率が高く、コアスパン糸は従来のナイロンやスパンデックスのように一般的ではなく、そしてコアスパン糸を入手可能な製造元が他の糸に比べて非常に少ないという理由からコアスパン糸を用いて段階的圧迫ソックスを編むということは予測可能ではない。従ってコアスパン糸を従来の段階的圧迫靴下に組込むことの明らかな利点は認知されていなかった。上述の理由のために、コアスパン糸を用いて段階的圧迫靴下を編むことによって、ここに記載した、有利でかつ予期しない結果を提供するということは予測可能ではないであろう。
【００２８】
図２を見ると、編まれた段階的圧迫靴下はパンティストッキングまたはフルレングス、タイハイ（腿丈）、またはニーハイ（膝丈）の靴下（トラウザーソックスなど）の各種のサイズに構成することができる。ソックス１０および他の長さの靴下は、下肢にそって下肢Ｌの各位置を測定することによって、すなわち足首の上の最も細い部分、ふくらはぎの最も太い部分、腿の最も太い部分（必要に応じて）、脚の付根すぐ下の腿（必要に応じて）、およびウエスト（必要に応じて）を測定することによって、特定の患者に合わせたサイズにすることができる。
【表３】
0005611200.tif 000004
【００２９】
図２を再び参照すると、代替の編まれた段階的圧迫靴下１００が本発明の第２の好適実施態様に従って構成される。簡潔にするため残りの説明は主にこれらの代替の実施態様が上述の好適実施態様と異なる部分に焦点をあてる。代替の靴下１００は一体構造のパンティストッキングを含み、並べて配置される１対の実質的に同一の代替のストッキング１０２（ストッキング１０２の１つだけ図示してある）と、縫い目１０６に沿って、両方のストッキング１０２に付着した下胴体区分１０４とを含んでパンティストッキングを形成している。下胴体区分１０４は一体構造であり、上方近位開口１０８および下方遠位開口１１０を呈することが好ましい。ストッキング１０２は代替の近位開放端１１２および、着用者のつま先が露出する代替の遠位開放つま先端１１４を呈する。つま先端１１４は第１の実施態様に示すように閉じることもできる。またストッキング１０２は代替の足区分１１８と、踵区分１２０と、代替の下肢区分１２２と、上方の脚区分１２４とを含む。ストッキング１０２は、近位開放端１１２を対応する下方遠位開口１１０に隣接して配置させ、そしてストッキング１０２および胴体区分１０４を各縫い目１０６に沿って付着させることによって、下胴体区分１０４に付着させる。
【００３０】
ソックス１０と同様に、靴下１００はコアスパン糸のコース１２６を有する横編みであり、また一体化された弾性糸を含む。また靴下１００は、踵区分１２０に隣接する（そして着用者の足首Ａの上の）遠位位置１３０から、近位開放端１１２に隣接する近位位置１３２まで脚区分１２２、１２４に沿って近位方向に伸展する段階的圧迫領域１２８を呈する。また段階的圧迫領域１２８は、遠位位置１３０から近位位置１３２へ漸進的に減少する圧迫を下肢Ｌに提供する。
【００３１】
上述した本発明の好適形態は図示するためだけに用いられ、本発明の範囲を解釈する際に限定する意味で用いられるべきではない。当業者であれば本発明の精神から逸脱することなく本書中に例示した実施態様の明らかな変形を容易に作成することができるであろう。
【００３２】
なお、以下の請求項に記載される本発明の範囲に実質的に逸脱していないが文言上範囲の外となる全ての装置に関して、本発明の合理的な公正な範囲を決定し評価するために均討論に依拠するという発明者等の意図を、本発明者等はここに宣言する。
【図１】
0005611200.tif 000005
【図２】
0005611200.tif 000006
【図３】
0005611200.tif 000007
【図４】
0005611200.tif 000008